(57)【要約】【課題】浄化能の向上に有利な室内有害物質除去装置を提供する。【解決手段】室内有害物質除去装置１は、空気中の塵埃類を吸着する集塵フィルタ部材２と、集塵フィルタ部材２と一体的にまたは別体として設けられ空気に含まれているアルデヒド類等のガス状の有害物質を吸着または除去する有害物質除去部材４と、集塵フィルタ部材２及び有害物質除去部材４を保持する保持要素５とを有する。有害物質除去部材４はアミノ酸等の浄化物質４２を有する。【選択図】図１
2005121294.tif 000002
【特許請求の範囲】
【請求項１】
空気中の塵埃類を吸着する集塵フィルタ部材と、
前記集塵フィルタ部材と一体的にまたは別体として設けられ空気に含まれているガス状の有害物質を吸着または除去する有害物質除去部材と、
前記集塵フィルタ部材及び前記有害物質除去部材を保持する保持要素とを具備することを特徴とする室内有害物質除去装置。
【請求項２】
請求項１において、前記有害物質除去部材は前記集塵フィルタ部材の下流側に設けられていることを特徴とする室内有害物質除去装置。
【請求項３】
請求項１または請求項２において、前記有害物質除去部材は、浄化能をもつ浄化物質を担持していると共に多孔質の顆粒状をなす浄化担体の集合体で形成されていることを特徴とする室内有害物質除去装置。
【請求項４】
請求項１または請求項２において、前記有害物質除去部材は、浄化能をもつ浄化物質を担持していると共に多孔質の顆粒状をなす浄化担体の集合体と、前記浄化担体の前記集合体を保持する通気部材とを有することを特徴とする室内有害物質除去装置。
【請求項５】
請求項４において、前記通気部材は通気性を有する多数の袋部をもち、前記浄化物質を担持する前記浄化担体の前記集合体は各前記袋部にそれぞれ分割された状態で収容されていることを特徴とする室内有害物質除去装置。
【請求項６】
請求項３〜請求項５のうちのいずれか一項において、前記浄化担体は、粘土鉱物及び／または活性炭であることを特徴とする室内有害物質除去装置。
【請求項７】
請求項６において、前記粘土鉱物は、セピオライト、アタパルジャイト、ゼオライト、パリゴルスカイト、ラフリナイト、ファルコンドアイトのうちのうちの少なくとも１種であることを特徴とする室内有害物質除去装置。
【請求項８】
請求項１〜請求項７のうちのいずれか一項において、前記浄化物質は少なくともアミノ酸類を有することを特徴とする室内有害物質除去装置。
【請求項９】
請求項８において、前記アミノ酸類は、グリシン、アラニン、リシン、システイン、フェニルアラニン、セリン、ヒドロキシリシン、グアニジノ基含有化合物のうちの少なくとも１種であることを特徴とする室内有害物質除去装置。
【請求項１０】
請求項１〜請求項９のうちのいずれか一項において、前記集塵フィルタ部材は、通気性を有する第１フィルタ部材と、前記第１フィルタ部材に組み付けられ通気性を有する第２フィルタ部材とを有しており、前記浄化担体の集合体は前記第１フィルタ部材と前記第２フィルタ部材との間に収容されていることを特徴とする室内有害物質除去装置。
【請求項１１】
請求項１０において、前記第１フィルタ部材及び前記第２フィルタ部材のうちの少なくとも一方は、断面で連続波形状とされており、前記浄化担体の集合体は連続波形状の内側に配置されていることを特徴とする室内有害物質除去装置。
【請求項１２】
請求項１〜請求項９のうちのいずれか一項において、前記集塵フィルタ部材は、上流側に位置すると共に通気性を有する第１フィルタ部材と、前記第１フィルタ部材よりも下流側に位置する通気性を有する第２フィルタ部材とを有しており、前記浄化担体の集合体は前記第１フィルタ部材に保持されており、前記第２フィルタ部材のフィルタ目は前記浄化担体の平均サイズよりも小さく設定されていることを特徴とする室内有害物質除去装置。
【請求項１３】
請求項１〜請求項１２のうちのいずれか一項において、車両のエアコンディショナー系に使用されることを特徴とする室内有害物質除去装置。
【発明の詳細な説明】
【技術分野】
【０００１】
本発明は、車両、建築物等の構造物の室内に含まれているアルデヒド類等の有害物質を除去して空気を浄化させる室内有害物質除去装置に関する。
【背景技術】
【０００２】
従来、活性炭等の物理吸着物質、バインダ、通気孔付形物質を基材とするブロックを形成し、このブロックに含まれている通気孔付形物質を加熱により除去して多数の通気孔を形成することによりブロックを多孔質とすると共に、酸化チタンなどの光触媒をブロックに担持させた空気浄化用フィルタ装置が知られている（特開２０００−２３３１０７号公報）。この公報によれば、車室の臭気成分、タバコの煙、窒素酸化物などを除去できる旨が記載されている。
【特許文献１】特開２０００−２３３１０７号公報
【発明の開示】
【発明が解決しようとする課題】
【０００３】
上記した特許文献１に係る空気浄化用フィルタ装置によれば、ブロックが主体とされているため、圧力損失がかなり大きいものであり、このため空気の通過性は必ずしも充分ではなく、浄化能の向上には限界があった。
【０００４】
本発明は上記した実情に鑑みてなされたものであり、浄化能の向上に有利な室内有害物質除去装置を提供することを課題とするにある。
【課題を解決するための手段】
【０００５】
上記した課題を達成すべく、第１様相の室内有害物質除去装置は、空気中の塵埃類を吸着する集塵フィルタ部材と、集塵フィルタ部材と一体的にまたは別体として設けられ空気に含まれているガス状の有害物質を吸着または除去する有害物質除去部材と、集塵フィルタ部材及び有害物質除去部材を保持する保持要素とを具備することを特徴とするものである。
【０００６】
空気中の塵埃類は集塵フィルタ部材に捕獲除去される。ガス状の有害物質は有害物質除去部材により除去される。有害物質としては、アルムアルデヒドやアセトアルデヒド等のアルデヒド類が例示される。室内有害物質除去装置は車両、船舶、飛行機、列車、建築物等といった構造物に脱着可能または固定的に設置し、環境におけるアルデヒド類等の除去に使用できる。
【０００７】
第２様相の室内有害物質除去装置によれば、有害物質除去部材は集塵フィルタ部材の下流側に設けられている。空気は集塵フィルタ部材を通過した後で有害物質除去部材を通過する。このため空気中の塵埃類が集塵フィルタ部材に捕獲されて除去された後に、塵埃類が除去された空気は有害物質除去部材を通過する。このため塵埃類が有害物質除去部材に蓄積されることを抑えることができ、ひいては有害物質除去部材の浄化能を長期にわたり維持することができる。
【０００８】
第３様相の室内有害物質除去装置によれば、有害物質除去部材は、浄化物質を担持していると共に顆粒状をなす多孔質の浄化担体の集合体で形成されていることを特徴とする。浄化担体は顆粒状であるため、ブロックに比較して空気の通過性が確保され、ひいては有害物質の浄化能が確保される。多孔質の浄化担体としては、活性炭、粘土鉱物、ケイソウ土、活性白土、シリカゲル等を例示できる。多孔質の浄化担体は、多数の細孔をもつため、それ自体がホルムアルデヒド類などの有害物質の吸着性を有し、更に、アミノ酸類等の浄化物質を担持させる浄化担体としても機能することができ、よってアミノ酸類等の浄化物質の担持量を高め得、ホルムアルデヒド類などの有害物質の浄化能を高め得る。浄化担体のサイズとしては用途に応じて選択でき、一般的には、２０ミリメートル以下、１０ミリメートル以下、、８ミリメートル以下、０．２ミリメートル以上、０．１ミリメートル以上を例示することができるが、これらに限定されるものではない。
【０００９】
更には、顆粒状をなす浄化担体を５層以下あるいは３層以下の積層状態に集合させれば、有害物質除去部材の広面積化を図りつつ、有害物質除去部材の厚み方向のコンパクト化を図ることができる。
【００１０】
第４様相の室内有害物質除去装置によれば、有害物質除去部材は、浄化物質を担持していると共に顆粒状をなす多孔質の浄化担体の集合体と、浄化担体の集合体を保持する通気部材とを有することを特徴とするものである。浄化担体は顆粒状であるため、単一構造体のブロックに比較して空気の通過性が確保され、ひいては有害物質の浄化能が確保される。
【００１１】
第５様相の室内有害物質除去装置によれば、通気部材は通気性を有する多数の袋部をもち、浄化物質を担持する浄化担体の集合体は各袋部にそれぞれ収容されていることを特徴とする。この場合、浄化物質を担持する浄化担体の集合体は各袋部毎に分割されている。このため、単一構造体のブロックに比較して空気の通過性が確保され、ひいては有害物質の浄化能が確保される。更に、万一、袋部の一部が損傷したときであっても、浄化担体の全体の散乱を抑えることができる。
【００１２】
第６様相の室内有害物質除去装置によれば、浄化担体は、粘土鉱物及び／または活性炭であることを特徴とする。粘土鉱物または活性炭は多孔質であり、多数の細孔を有するため、浄化物質の担持に有利である。活性炭としては粒子状のものでも、繊維状のものでもよい。粘土鉱物として含水珪酸マグネシウム質粘土鉱物を例示できる。含水珪酸マグネシウム質粘土鉱物としては、マグネシウムや珪素の一部がアルミニウム、鉄、ニッケル、ナトリウム等で置換されている形態も含む。粘土鉱物としては、具体的には、セピオライト、アタパルジャイト、ゼオライト、パリゴルスカイト、ラフリナイト、ファルコンドアイトのうちのうちの少なくとも１種を主要成分とすることができ、これらは微細な多数の細孔を有する。上記した粘土鉱物自体も浄化能を有するが、アミノ酸類を粘土鉱物自体が担持すれば、ホルムアルデヒド類の浄化能が一層向上する。粘土鉱物は一般的にはそれ自体がバインダ機能を有するため、バインダの低減または廃止を期待できる。但し必要に応じて、別のバインダを配合することもできる。上記した粘土鉱物は粒状であり、平均粒径が例えば５００μｍ以下、２００μｍ以下、１００μｍ以下、更には５０μｍ以下、３０μｍ以下、更には２０μｍ以下、１０μｍ以下、５μｍ以下、１μｍ以下のものを適宜採用できる。但しこれらに限定されるものではない。よって粘土鉱物は一般的には粉末粒子状、殊に微粉末粒子状で用いることができる。なお粘土鉱物の粉砕は、ミキサー、ボールミル、振動ミル、ハンマーミルなどの公知の粉砕手段を用いて、湿式粉砕、乾式粉砕とすることができる。
【００１３】
第７様相の室内有害物質除去装置によれば、粘土鉱物は、セピオライト、アタパルジャイト、ゼオライト、パリゴルスカイト、ラフリナイト、ファルコンドアイトのうちのうちの少なくとも１種であることを特徴とする。これらの粘土鉱物は、多数の細孔を有するため、浄化物質の担持に有利である。
【００１４】
第８様相の室内有害物質除去装置によれば、浄化物質はアミノ酸類を少なくとも有することを特徴とする。本出願人等の研究によれば、アミノ酸類は、ホルムアルデヒド、アセトアルデヒドなどのアルデヒド類の選択的除去に有利である。またアミノ酸類は食品もしくは食品添加物としても使用されるため、仮に人体に進入したとしても害はない。アミノ酸類はアミノ酸を主要成分とするものをいう。アミノ酸としては、中性アミノ酸、酸性アミノ酸、塩基性アミノ酸のいずれでも良い。また脂肪族アミノ酸、芳香族アミノ酸のいずれでも良い。芳香族アミノ酸としては、ｏ−芳香族アミノ酸、ｍ−芳香族アミノ酸、ｐ−芳香族アミノ酸、ｐ−アミノサリチル酸、ｍ−アミノサリチル酸のいずれも用いることができる。
【００１５】
第９様相の室内有害物質除去装置によれば、アミノ酸類は、グリシン、アラニン、リシン、システイン、フェニルアラニン、セリン、ヒドロキシリシン、グアニジノ基含有化合物のうちの少なくとも１種であることを特徴とする。これらのアミノ酸類は、ホルムアルデヒド、アセトアルデヒドなどアルデヒド類の除去に有利である。グアニジノ基含有化合物としてはアルギニンまたはその塩類が例示される。
【００１６】
第１０様相の室内有害物質除去装置によれば、集塵フィルタ部材は、通気性を有する第１フィルタ部材と、第１フィルタ部材に組み付けられ通気性を有する第２フィルタ部材とを有しており、浄化担体の集合体は第１フィルタ部材と第２フィルタ部材との間に配置されていることを特徴とする。この場合、浄化物質を担持した浄化担体の集合体を第１フィルタ部材と第２フィルタ部材とで収容することができる。従って、浄化担体の集合体を収容する収容部材を別途設けずとも良いか、あるいは、収容部材を減らすことができる。
【００１７】
第１１様相の室内有害物質除去装置によれば、第１フィルタ部材及び第２フィルタ部材のうちの少なくとも一方は、断面で連続波形状とされており、浄化担体の集合体は連続波形状の内側に配置されていることを特徴とする。この場合、連続波形状で捕獲面積が増加されているため、空気中の塵埃類が効果的に除去される。このように塵埃類が効果的に除去された空気が浄化担体の集合体を通過するため、塵埃類によって浄化担体の浄化能が低下することを抑えることができる。また、フィルタ部材の連続波形状は、塵埃類を捕獲する機能の他に、空気流れの方向を拡散させる機能を有するため、有害物質を含み得る空気の偏流を抑制できる。ひいては、浄化物質を担持した浄化担体の集合体に空気をまんべんなく接触させるのに有利となり、浄化担体による浄化能の向上に貢献することができる。
【００１８】
第１２様相の室内有害物質除去装置によれば、集塵フィルタ部材は、上流側に位置すると共に通気性を有する第１フィルタ部材と、第１フィルタ部材よりも下流側に位置する通気性を有する第２フィルタ部材とを有しており、浄化担体の集合体は第１フィルタ部材に保持されており、第２フィルタ部材のフィルタ目は浄化担体の平均サイズよりも小さく設定されていることを特徴とする。この場合、浄化担体が第１フィルタ部材から仮に脱落したとしても、脱落した浄化担体が第２フィルタ部材により捕獲される。このため脱落した浄化担体が第２フィルタ部材よりも下流に飛散することが抑制される。
【発明の効果】
【００１９】
以上説明したように本発明によれば、塵埃類を除去できるばかりか、アルデヒド類等の有害物質を含む空気の浄化効率を高めるのに有利な室内有害物質除去装置を提供することができる。
【発明を実施するための最良の形態】
【００２０】
（実施形態１）
図１〜図４は実施形態１を示す。図１は室内有害物質除去装置１（以下、有害除去装置ともいう）の断面図を示す。図２は有害物質除去装置１の斜視図を示す。図３は一部破断した有害物質除去装置を示す。本実施形態の有害物質除去装置１は、車両の室内の空気浄化に適用されるものであり、空気中の塵埃類を吸着する集塵フィルタ部材２と、集塵フィルタ部材２に別体として設けられ空気に含まれているガス状の有害物質を吸着または除去する有害物質除去部材４と、集塵フィルタ部材２及び有害物質除去部材４を保持する保持要素としての保持枠５とを有する。
【００２１】
図１に示すように、保持枠５は、集塵フィルタ部材２及び有害物質除去部材４を互いに接触するように重ねた状態で保持する。このため有害物質除去装置１は厚み方向にコンパクト化されており、スペース上の制約がある車載用に適する。保持枠５は樹脂製であり、角枠形状をなす外枠部５０と、外枠部５０に内方に突出する爪状の第１止め部５３と、外枠部５０に設けられ集塵フィルタ部材２及び有害物質除去部材４の垂下等のずれ変位を防止する第２止め部５２とを有する。集塵フィルタ部材２及び有害物質除去部材４は、保持枠５からそれぞれ脱着可能とされている。集塵フィルタ部材２及び有害物質除去部材４を保持する保持枠５は、水平方向に沿って配置される方式でも良いし、あるいは、縦方向（垂直方向）に沿って配置される方式でも良い。なお、図１〜図４では、集塵フィルタ部材２及び有害物質除去部材４を保持する保持枠５は、水平方向に沿って配置されている。
【００２２】
集塵フィルタ部材２は、空気流れの上流に対面する通気性及び集塵性をもつ第１フィルタ部材２１と、第１フィルタ部材２１よりも下流となるように第１フィルタ部材２１に接合された通気性及び集塵性をもつ第２フィルタ部材２２とを有する。空気流れを矢印Ａとして示す。第１フィルタ部材２１及び第２フィルタ部材２２は、不織布等の通気性を有する通気シートで形成されている。第１フィルタ部材２１は、フィルタ目をもち互いに逆向きに傾斜する傾斜部２１ｋ,２１ｓを有しており、断面で所定の形状（三角形状）をなす連続波形状とされて表出面積が増加されている。この結果、第１フィルタ部材２１による塵埃類の捕獲面積が確保されている。第１フィルタ部材２１と第２フィルタ部材２２とで、断面で所定形状（三角形状）をなす複数個の空間２３が並設状態で形成されている。
【００２３】
図４（Ａ）は有害物質除去装置１の要部の断面を拡大して示す。図４（Ｂ）は有害物質除去部材４の断面を拡大して示す。図４（Ｂ）に示すように、有害物質除去部材４は、浄化物質４２を担持すると共に多孔質の顆粒状をなす複数の浄化担体４１（１つの顆粒のサイズ：一般的には１０ミリメートル以下）の集合体と、浄化担体４１の集合体を保持するシート袋状の通気部材４３とを有する。顆粒状をなす浄化担体４１のサイズは、第１フィルタ部材２１及び第２フィルタ部材２２のフィルタ目よりも大きくされている。通気部材４３は、通気性を有する袋状の外部材４４と、外部材４４の内部に配置された通気性を有するシート状の内部材４５とで形成されている。
【００２４】
この場合、顆粒状をなす複数個の浄化担体４１をシート状の内部材４５に散乱させて接着剤等を介して内部材４５に接着させると共に、外部材４４で覆っている。浄化担体４１はシート状の内部材４５の一方の表面４５ａに実質的に一層で接着されていると共に、シート状の内部材４５の他方の表面４５ｂに実質的に一層で接着されている。このように有害物質除去部材４は、広面積とされているものの、厚み方向に薄肉状とされてコンパクト化されている。このため、圧力損失を小さくできると共に、有害物質除去部材４の搭載に必要な厚み方向の搭載スペースを小さくすることができる。このため車両のエアコンディショナー系６に使用されている既存の保持枠５をそのまま用いつつ、その保持枠５に集塵フィルタ部材２及び有害物質除去部材４の双方を互いに接触するように重ねた状態で搭載することができる。従って保持枠５等に関する設計変更を行う必要がない。また仮に設計変更するときであっても、僅かな設計変更で足りる。
【００２５】
この浄化担体４１は顆粒状であるため、従来公報に係る単一構造体で形成されているブロックに比較して空気の通過性が良好に確保され、ひいては空気に含まれているガス状の有害物質の浄化能が確保される。浄化担体４１としては、活性炭、粘土鉱物、ケイソウ土、活性白土、シリカゲル等を例示することができる。本実施形態によれば、浄化担体４１は、含水珪酸マグネシウム質粘土鉱物で形成されており、具体的には、セピオライト、アタパルジャイト、ゼオライト、パリゴルスカイト、ラフリナイト、ファルコンドアイトのうちのうちの少なくとも１種で形成されている。
【００２６】
浄化担体４１に担持されている浄化物質４２は、アミノ酸類とされている。アミノ酸類は、化学反応を伴ってアルデヒド類を浄化させることができ、グリシン、アラニン、リシン、システイン、フェニルアラニン、セリン、ヒドロキシリシン、アルギニンのうちの１種または２種以上とされている。浄化担体４１は、多数の細孔をもつため、それ自体がアルデヒド類等の有害物質の吸着性を有し、更に、アミノ酸類等の浄化物質４２を担持させる機能を有することができる。よってアミノ酸類等の浄化物質４２の担持量を高め得、アルデヒド類などのガス状の有害物質の浄化能を一層高め得る。なお、浄化物質４２を浄化担体４１に担持させるには、浄化物質４２を含む所定の濃度の溶液を用意し、多孔質の浄化担体４１を当該溶液に所定時間浸漬させ、浸漬後に当該溶液から浄化担体４１を取り出すことにより行うことができる。
【００２７】
本実施形態によれば、集塵フィルタ部材２は空気流れの上流側に対面する。有害物質除去部材４は集塵フィルタ部材２の下流側に対面する。このため空気は集塵フィルタ部材２を通過した後で、有害物質除去部材４を通過する。故に、空気中の塵埃類が集塵フィルタ部材２に先ず捕獲されて除去された後に、その塵埃類が除去されて浄化が進行した空気は浄化担体４１の集合体を通過する。このため、浄化担体４１の細孔が塵埃類で覆われること、細孔に担持されているアミノ酸類が塵埃類で覆われることが抑制される。このため浄化担体４１の浄化能、アミノ酸類の浄化能を長期にわたり良好に維持することができる。
【００２８】
本実施形態によれば、図４（Ａ）に示すように、集塵フィルタ部材２及び有害物質除去部材４は、互いに接触するように重ねられた状態で保持枠５に保持されている。有害物質除去部材４は保持枠５の第２止め部５２により位置決めされるため、保持枠５内における集塵フィルタ部材２の位置決めを行うことができる。
【００２９】
本実施形態によれば、上流側の集塵フィルタ部材２を構成する第１フィルタ部材２１,第２フィルタ部材２２のフィルタ目は、下流側の有害物質除去部材４を構成する通気部材４３のフィルタ目よりも細かく設定されている。換言すると、集塵フィルタ部材２を構成する第１フィルタ部材２１,第２フィルタ部材２２は、有害物質除去部材４を構成する通気部材４３よりも相対的に密の構造とされている。故に、通気部材４３は集塵フィルタ部材２に比べて相対的に疎の構造とされている。塵埃類が集塵フィルタ部材２により既に除去されているためである。
【００３０】
また本実施形態によれば、集塵フィルタ部材２を構成する第１フィルタ部材２１は互いに逆方向に傾斜する傾斜部２１ｋ,２１ｓを有し、連続波形状とされている。連続波形状は、塵埃類を捕獲する機能の他に、空気流れの方向を拡散させる機能を有するため、有害物質を含み得る空気の偏流を抑制できる。ひいては、浄化物質４２を担持した浄化担体４１の集合体に空気をまんべんなく接触させるのに有利となり、浄化担体４１による浄化能の向上に貢献することができる。
【００３１】
（適用形態）
図５は適用形態を示す。この場合、自動車等の車両に搭載されている空調機能（冷房機能、暖房機能、除湿機能、場合によっては加湿機能）を有するエアコンディショナー系６に空気吹出ハウジング６０が搭載されている。空気吹出ハウジング６０は、空調された空気を車室内に吹き出す吹出口６２と、送風機能をもつブロア６５とを有する。空気吹出ハウジング６０の取付口６３に有害物質除去装置１が脱着可能に取り付けられる。エアコンディショナー系６の空気を車室内に吹き出す前に、その空気は有害物質除去装置１を通過するため、有害物質除去装置１により浄化される。即ち、空気に含まれている塵埃類は、主として、集塵フィルタ部材２により捕獲除去され、空気に含まれているホルムアルデヒド等のアルデヒド類は、主として、有害物質除去部材４により除去される。これにより車室内に吹き出される空気は浄化される。集塵フィルタ部材２及び有害物質除去部材４を保持する保持枠５は、水平方向に沿って配置されている。なお、図５においては、有害物質除去装置１のうち集塵フィルタ部材２を視認させるべく、集塵フィルタ部材２をが上向きとして図示されているため、有害物質除去装置１において集塵フィルタ部材２を相対的に上流とすべく、集塵フィルタ部材２を上下反転させた状態で、有害物質除去装置１を空気吹出ハウジング６０に取り付ける。
【００３２】
（実施形態２）
図６及び図７は本発明の実施形態２を示す。本実施形態は前記した実施形態１と基本的には同様の構成、作用効果を有する。以下、前記した実施形態と相違する部分を中心として説明する。前記した実施形態と共通する機能を奏する部位には共通の符号を付する。本実施形態によれば、集塵フィルタ部材２は、通気性を有する第１フィルタ部材２１と、第１フィルタ部材２１に接合され通気性を有する第２フィルタ部材２２とを有する。図７に示すように、浄化担体４１の集合体は、第１フィルタ部材２１と第２フィルタ部材２２との間に収容されている。このため、浄化担体４１の集合体を収容する収容部材を別途設けずとも良く、薄型化に一層有利となる。
【００３３】
具体的には、空気流れの上流に対面する第１フィルタ部材２１は、断面で所定の形状（三角形状）をなす連続波形状とされており、塵埃類を捕獲する捕獲面積が確保されている。波形状をなす第１フィルタ部材２１と平板シート状をなす第２フィルタ部材２２とで、複数個の空間２３が並設状態で形成されている。図７に示すように、有害物質除去部材４の浄化担体４１の集合体は、複数個の当該空間２３にそれぞれ分割されて収容されており、連続波形状の第１フィルタ部材２１の内側に配置されている。
【００３４】
本実施形態においても、図７から理解できるように、空気は集塵フィルタ部材２の上流側の第１フィルタ部材２１を通過した後で、有害物質除去部材４を通過し、その後、第２フィルタ部材２２を通過する。このため空気中に含まれている塵埃類が集塵フィルタ部材２の第１フィルタ部材２１で先ず捕獲されて除去された後に、その塵埃類が除去された空気は有害物質除去部材４の浄化担体４１を通過する。このため浄化担体４１の細孔が塵埃類で覆われること、細孔に担持されている浄化物質４２（アミノ酸類）が塵埃類で覆われることを抑えることができる。ひいては浄化担体４１の浄化能、浄化物質４２（一般的にアミノ酸類）の浄化能を長期にわたり良好に維持することができる。
【００３５】
本実施形態によれば、上記したように有害物質除去部材４の浄化担体４１は複数個の当該空間２３にそれぞれ分割されて収容されているため、集塵フィルタ部材２が万一損傷したとしても、すべての浄化担体４１が集塵フィルタ部材２から脱落してしまうことが回避される。
【００３６】
（実施形態３）
図８〜図１１は本発明の実施形態３を示す。本実施形態は前記した実施形態１と基本的には同様の構成、作用効果を有する。前記した実施形態と共通する機能を奏する部位には共通の符号を付する。以下、相違する部分を中心として説明する。本実施形態によれば、図９に示すように、集塵フィルタ部材２と有害物質除去部材４とは接合されて一体化されており、ユニット部材７を形成している。このユニット部材７において、集塵フィルタ部材２は空気流れの上流側に対面すると共に有害物質除去部材４は下流側に対面する。
【００３７】
集塵フィルタ部材２は、空気流れの上流に対面する通気性及び集塵性をもつ第１フィルタ部材２１と、第１フィルタ部材２１よりも下流となるように第１フィルタ部材２１に接合された通気性及び集塵性をもつ第２フィルタ部材２２とを有する。第１フィルタ部材２１及び第２フィルタ部材２２は、不織布等の通気性を有する通気シートで形成されている。第１フィルタ部材２１は、断面で所定の形状（三角形状）をなす連続波形状とされており、塵埃類の捕獲面積が確保されている。第１フィルタ部材２１と第２フィルタ部材２２とで断面で三角形状をなす複数個の空間２３が並設状態に形成されている。
【００３８】
有害物質除去部材４は、多孔質の顆粒状をなすと共に浄化物質４２（一般的にアミノ酸類）を担持した浄化担体４１（サイズ：一般的には１０ミリメートル以下）の集合体と、集塵フィルタ部材２の裏面において浄化担体４１の集合体を保持するように集塵フィルタ部材２の第２フィルタ部材２２の裏面に接合された通気性を有する通気部材４３とを有する。通気部材４３は格子状の接合部４６を介して局部的に第２フィルタ部材２２の裏面に接合されており、通気部材４３と第２フィルタ部材２２とで複数の収容室２５を形成している。浄化担体４１の集合体が複数の収容室２５にそれぞれ分割された状態で収容されている。このため万一、通気部材４３の一部が損傷したときであっても、浄化担体４１の集合体が収容室２５から全部脱落することは抑えられている。
【００３９】
図１１に示すように、保持枠５は、外枠部５０と、外枠部５０に内方に突出する爪状の第１止め部５３と、外枠部５０に設けられ集塵フィルタ部材２及び有害物質除去部材４の垂下を防止する第２止め部５２とを有する。第１止め部５３と第２止め部５２とが第２フィルタ部材２２を挟着する。第２止め部５２は、浄化担体４１を有しない接合部４６に整合する位置に設けられているため、第２止め部５２が浄化性能を低下させることは防止されている。
【００４０】
（実施形態４）
図１２は本発明の実施形態４を示す。本実施形態は前記した実施形態３と基本的には同様の構成、作用効果を有する。以下、異なる部分を中心として説明する。図１２に示すように、インジケータ８が有害物質除去部材４に浄化担体４１と共に保持されている。インジケータ８は、変色により有害物質除去部材４の浄化物質４２の寿命を知らせるものである。インジケータ８は、ホルムアルデヒド等のアルデヒド類を浄化する浄化物質８ｂと、アルデヒド類の吸着に伴いｐＨ値を変化させて変色するｐＨ指示薬とをペーパ状のシート８ｃに担持させて形成されている。ここで、インジケータ８に担持されている浄化物質８ｂは、浄化担体４１に担持されているアミノ酸類とは異なるアミノ酸類とされている。この浄化物質８ｂは、具体的には、グアニジノ基を含有するグアニジノ基含有化合物であるアルギニンとされている。ここで、アルギニンは塩基性を示す物質であり、文献（特開昭５６−６６２６０号公報）によればｐＨ１０．８とされている。インジケータ８に担持されているｐＨ指示薬は、具体的にはフェノールレッドである。フェノールレッドは、一般的には変色域がｐＨ値８．４（赤色）〜６．８（黄色）とされている。従って、使用につれてインジケータ８にアルデヒド類が吸着される量が増加すると、インジケータ８に担持されているアルギニンがアルデヒド類と反応してインジケータ８が塩基性域から中性域に変化する。これによりインジケータ８に担持されているｐＨ指示薬（フェノールレッド）は、赤色域から黄色域に変色する。インジケータ８が変色するタイミングは、浄化担体４１の浄化物質４２の寿命と対応するように設定されている。
【００４１】
（実施形態５）
図１３は本発明の実施形態５を示す。本実施形態は前記した実施形態３と基本的には同様の構成、作用効果を有する。以下、異なる部分を中心として説明する。図１３に示すように、集塵フィルタ部材２は、空気流れの上流に対面する波形状の第１フィルタ部材２１と、第１フィルタ部材２１よりも下流となるように第１フィルタ部材２１に組み付けられた平シート形状の第２フィルタ部材２２とを有する。そして、浄化物質４２（一般的にはアミノ酸類）を担持すると共に多孔質の微粒子状をなす浄化担体４１（１つの顆粒の平均サイズ：特に限定されるものではないが、一般的には２００マイクロメートル以下,１００マイクロメートル以下,５０マイクロメートル以下）を用い、その浄化担体４１を含む溶液を浸漬またはスプレー塗布等により集塵フィルタ部材２の第１フィルタ部材２１に塗布し、その後、乾燥させることにより、複数の浄化担体４１を集塵フィルタ部材２の上流側の第１フィルタ部材２１に一体的に保持し、有害物質除去部材４が形成されている。この場合、第１フィルタ部材２１は、塵埃類の捕獲機能と、アルデヒド類等のガス状の有害物質の浄化機能とを有する。
【００４２】
図１３に示すように、浄化担体４１は第２フィルタ部材２２よりも上流に位置する。この場合、空気流れが激しく、微粒子状をなす浄化担体４１が第１フィルタ部材２１から仮に脱落した場合であっても、浄化担体４１は第２フィルタ部材２２に受け止められる。故に、脱落した浄化担体４１が第２フィルタ部材２２よりも下流側に飛散することが抑制される。従って、第２フィルタ部材２２のフィルタ目は、浄化担体４１の平均サイズよりも小さいことが好ましい。また、第１フィルタ部材２１のフィルタ目を、浄化担体４１の平均サイズよりも小さくすることもできる。
【００４３】
（その他）
浄化物質４２はアミノ酸類以外のものとすることもできる。また、上記した室内有害物質除去装置１は車両のエアコンディショナー系ばかりか、建築物の室内のエアコンディショナー系に適用することもできる。本発明は上記し且つ図面に示した実施形態及び適用形態のみに限定されるものではなく、要旨を逸脱しない範囲内で適宜変更して実施できるものである。
【産業上の利用可能性】
【００４４】
ホルムアルデヒドやアセトアルデヒド等のアルデヒド類に代表される有害物質を除去する有害物質除去装置に利用することができる。
【図面の簡単な説明】
【００４５】
【図１】実施形態１に係り、室内有害物質除去装置の断面図である。
【図２】実施形態１に係り、室内有害物質除去装置の斜視図である。
【図３】実施形態１に係り、一部破断して内部構造を示す室内有害物質除去装置の斜視図である。
【図４】実施形態１に係り、（Ａ）は室内有害物質除去装置の要部を拡大して示す断面図であり、（Ｂ）は有害物質除去部材の断面図である。
【図５】車両のエアコンディショナー装置に室内有害物質除去装置を装備する状態を示す斜視図である。
【図６】実施形態２に係り、一部破断して内部構造を示す室内有害物質除去装置の斜視図である。
【図７】実施形態２に係り、室内有害物質除去装置の断面図である。
【図８】実施形態３に係り、一部破断して内部構造を示す有害物質除去装置の斜視図である。
【図９】実施形態３に係り、有害物質除去部材の断面図である。
【図１０】実施形態３に係り、有害物質除去部材の裏面図である。
【図１１】実施形態３に係り、集塵フィルタ部材及び有害物質除去部材を一体化したユニット部材を保持枠に取り付けた有害物質除去装置の断面図である。
【図１２】実施形態４に係り、有害物質除去装置の断面図である。
【図１３】実施形態５に係り、有害物質除去装置の要部の断面図である。
【符号の説明】
【００４６】
図中、１は室内有害物質除去装置、２は集塵フィルタ部材、２３は空間、２５は収容室、４は有害物質除去部材、４１は浄化担体、４２は浄化物質、４３は通気部材、５は保持枠（保持要素）、５０は外枠部、７はユニット部材、８はインジケータを示す。
【図１】
2005121294.tif 000003
【図２】
2005121294.tif 000004
【図３】
2005121294.tif 000005
【図４】
2005121294.tif 000006
【図５】
2005121294.tif 000007
【図６】
2005121294.tif 000008
【図７】
2005121294.tif 000009
【図８】
2005121294.tif 000010
【図９】
2005121294.tif 000011
【図１０】
2005121294.tif 000012
【図１１】
2005121294.tif 000013
【図１２】
2005121294.tif 000014
【図１３】
2005121294.tif 000015